(57)【要約】【課題】自局と対向局とが種類の異なるインターフェースを複数有している場合でも、任意のインターフェースのチャネルのループバックを可能にする。【解決手段】伝送信号のオーバーヘッド部分に予め設定したループバック制御用ビットにより自局から対向局へインターフェース情報要求信号を送信する（ステップ１０１）。対向局は実装されているインターフェースの情報をループバック制御用ビットに設定して自局側へ送信する（ステップ２０２）。自局はインターフェース情報を受信して画面表示する（ステップ１０３）。自局のオペレータは対向局のインターフェースを確認し、これらインターフェースの中からループバック対象のインターフェースのチャネルを指定し、ループバック実行指示をループバック制御用ビットに設定して対向局へ送信する（ステップ１０４）。対向局はループバック実行指示に応じてループバックを実行する（ステップ２０３，２０４）。【選択図】　　　図２
2004120231.tif 000002
【特許請求の範囲】
【請求項１】
自局の伝送装置から異なる種類の複数のインターフェースを有する対向局の伝送装置へ送信した信号を折り返し返送させるループバック方式であって、前記自局は、ループバック実行に際し前記対向局の伝送装置の前記インターフェースに関する情報を要求するインターフェース情報要求信号を送信し、その後受信した前記インターフェースに関する情報に基づきオペレータが選定したループバック対象のインターフェースおよびチャネルのループバック実行を指示するループバック指示信号を生成し送信するループバック制御装置（自局）を備えることを特徴とするループバック方式。
【請求項２】
前記対向局は、前記インターフェース情報要求信号を受信したときにインターフェースに関する情報を送信し、前記ループバック指示信号を受信したときに指定されたインターフェースおよびチャネルのループバックを実行するループバック制御装置（対向局）を備えることを特徴とする請求項１記載のループバック方式。
【請求項３】
前記ループバック制御装置（自局）は、前記インターフェース情報要求信号および前記ループバック指示信号を生成する制御信号生成手段と、対向局から送信されてくるインターフェース情報を受信するインターフェース情報受信手段と、受信した前記インターフェース情報を画面表示する表示手段とを有していることを特徴とする請求項１記載のループバック方式。
【請求項４】
前記ループバック制御装置（対向局）は、前記インターフェース情報要求信号および前記ループバック指示信号を受信する制御信号受信手段と、前記インターフェース情報要求信号を受信したときにインターフェースに関する情報を生成出力するインターフェース情報生成手段と、前記対向局の伝送装置の受信出力信号をループバックするための接続処理を行うループバック接続手段と、前記ループバック指示信号に応じて前記ループバック接続手段を制御する接続制御手段とを有していることを特徴とする請求項１または２記載のループバック方式。
【請求項５】
前記自局の伝送装置は、伝送信号のオーバーヘッド部分に予め設けられるループバック制御用ビットにより前記インターフェース情報要求信号および前記ループバック指示信号を伝送し、前記対向局の伝送装置は、前記ループバック制御用ビットにより前記インターフェースに関する情報を伝送することを特徴とする請求項１、２、３または４記載のループバック方式。
【請求項６】
前記自局の伝送装置は、前記インターフェース情報要求信号および前記ループバック指示信号を伝送信号に多重化して伝送し、前記対向局の伝送装置は、前記インターフェースに関する情報を伝送信号に多重化して伝送することを特徴とする請求項１、２、３または４記載のループバック方式。
【発明の詳細な説明】
【０００１】
【発明の属する技術分野】
本発明はループバック方式に関し、特に異なる種類の複数のインターフェースを有する対向局装置にループバックを指示実行させるループバック方式に関する。
【０００２】
【従来の技術】
伝送路を介し接続されている対向局装置に対してループバックを実行させる従来の方式として、ループバックの実行／解除を示す信号を自局装置から対向局装置へ送信し、対向局装置ではループバックの実行／解除を示す信号を検出してループバック制御するようにしている。ここで、全「０」レベルの信号がループバック実行を示し、全「１」レベルの信号がループバック解除を示すようにしている。（例えば、特許文献１参照。）。
【０００３】
また、同期デジタルハイアラーキ（ＳＤＨ）信号および北米ソネットハイアラーキ（ＳＯＮＥＴ）信号を伝送するデジタル無線装置の場合、ＳＤＨ信号およびＳＯＮＥＴ信号のオーバーヘッド部分（ＳＯＨ、ＰＯＨ等）の余剰ビットに試験信号を挿入して対向局へ送信し、この試験信号を対向局においてオーバーヘッド部分に載せ替えてループバックさせることによりループバック試験を行うようにしているものもある。（例えば、特許文献２参照。）
【特許文献１】
特開平０３−０９１３３５号公報（第１−６頁）
【特許文献２】
特開平１０−２３３８２１号公報（第１−２頁）
【０００４】
【発明が解決しようとする課題】
上述した従来例は、自局装置および対向局装置が同種類かつ同チャネル数のインターフェースを有している場合に適用できるが、自局装置および対向局装置が異なる種類の複数のインターフェースを有している場合には、そのままではループバック制御を実施できないという問題点を有している。
【０００５】
その理由は、自局装置および対向局装置が互いに種類の異なる複数のインターフェースを有している場合、自局装置のオペレータは、対向局装置が実装しているインターフェースの種類を確認し、その中からループバック対象のインターフェースのチャネルを指定しなければならないためである。
【０００６】
また、同期デジタルハイアラーキ（ＳＤＨ）信号および北米ソネットハイアラーキ（ＳＯＮＥＴ）信号を伝送している場合、自局装置のオペレータが、ＳＤＨ信号およびＳＯＮＥＴ信号のオーバーヘッド部分（ＳＯＨ、ＰＯＨ）を利用して対向局装置のインターフェース情報を取得しようとしても、オーバーヘッド部分にはインターフェース情報を取得するためのビット割り当てがないので取得できない。
【０００７】
更に、このオーバーヘッド部分では、インターフェースの種類に関係なく各チャネル毎に割り当てビットを共用しているので、インターフェースを指定してループバック制御を行うことができないという問題点を有している。
【０００８】
本発明の目的は、自局装置および対向局装置が互いに種類の異なる複数のインターフェースを有している場合でも、自局装置のオペレータが事前に対向局装置に実装されているインターフェースの情報および使用状態を取得でき、任意のインターフェースの任意のチャネルのループバックを制御できるループバック方式を提供することにある。
【０００９】
【課題を解決するための手段】
本発明のループバック方式は、自局の伝送装置から異なる種類の複数のインターフェースを有する対向局の伝送装置へ送信した信号を折り返し返送させるループバック方式であって、前記自局は、ループバック実行に際し前記対向局の伝送装置の前記インターフェースに関する情報を要求するインターフェース情報要求信号を送信し、その後受信した前記インターフェースに関する情報に基づきオペレータが選定したループバック対象のインターフェースおよびチャネルのループバック実行を指示するループバック指示信号を生成し送信するループバック制御装置（自局）を備え、前記対向局は、前記インターフェース情報要求信号を受信したときにインターフェースに関する情報を送信し、前記ループバック指示信号を受信したときに指定されたインターフェースおよびチャネルのループバックを実行するループバック制御装置（対向局）を備える。
【００１０】
また、前記ループバック制御装置（自局）は、前記インターフェース情報要求信号および前記ループバック指示信号を生成する制御信号生成手段と、対向局から送信されてくるインターフェース情報を受信するインターフェース情報受信手段と、受信した前記インターフェース情報を画面表示する表示手段とを有し、前記ループバック制御装置（対向局）は、前記インターフェース情報要求信号および前記ループバック指示信号を受信する制御信号受信手段と、前記インターフェース情報要求信号を受信したときにインターフェースに関する情報を生成出力するインターフェース情報生成手段と、前記対向局の伝送装置の受信出力信号をループバックするための接続処理を行うループバック接続手段と、前記ループバック指示信号に応じて前記ループバック接続手段を制御する接続制御手段とを有している。
【００１１】
更に、前記自局の伝送装置は伝送信号のオーバーヘッド部分に予め設けられるループバック制御用ビットにより前記インターフェース情報要求信号および前記ループバック指示信号を伝送し、前記対向局の伝送装置は前記ループバック制御用ビットにより前記インターフェースに関する情報を伝送する。
【００１２】
また更に、前記自局の伝送装置は前記インターフェース情報要求信号および前記ループバック指示信号を伝送信号に多重化して伝送し、前記対向局の伝送装置は前記インターフェースに関する情報を伝送信号に多重化して伝送してもよい。
【００１３】
【発明の実施の形態】
次に本発明について図面を参照して説明する。
【００１４】
図１は本発明の一実施形態を示すブロック図であり、自局の伝送装置１および対向局の伝送装置２は無線伝送路を介して接続され、例えば、同期デジタルハイアラーキ（ＳＤＨ）信号および北米ソネットハイアラーキ（ＳＯＮＥＴ）信号等を伝送する。
【００１５】
ここで、自局伝送装置１が対向局伝送装置２に対してループバックを指示し、対向局伝送装置２は自局伝送装置１の指示に応じてループバックを行うものとする。
【００１６】
また、自局伝送装置１および対向局伝送装置２は、ビットレートの異なる複数の信号ＳａおよびＳｂにそれぞれ対応するインターフェースを有している。これら信号Ｓａ，Ｓｂは、例えば、ハイアラーキビットレート（ＳＴＭ−ｘ：ｘ＝０，１，４，１６，６４，２５６）の信号あるいは高次群信号または低次群信号である。
【００１７】
なお、ハイアラーキビットレート（ＳＴＭ−ｘ）は、ＩＴＵ−Ｔ国際標準規格により、ＳＴＭ−０＝５１．８４Ｍｂｐｓ、ＳＴＭ−１＝１５５．５２Ｍｂｐｓ、ＳＴＭ−４＝６２２．０８Ｍｂｐｓ、ＳＴＭ−１６＝２４８８．３２Ｍｂｐｓ、ＳＴＭ−６４＝９９５３．２８Ｍｂｐｓ、ＳＴＭ−２５６＝３９８１３．１２Ｍｂｐｓ　に定められている。
【００１８】
ここで、例えば、ハイアラーキビットレートＳＴＭ−０（５１．８４Ｍｂｐｓ）に対応するインターフェースの場合、チャネル当り２Ｍｂｐｓの２５チャネルのインターフェースとして使用できる。
【００１９】
さて、ループバックの実行を制御するために、自局側にはループバック制御装置３が設けられ、対向局側にはループバック制御装置４が設けられている。
【００２０】
自局側のループバック制御装置３は、対向局が実装するインターフェースの情報を要求するインターフェース情報要求信号およびループバック実行を指示するループバック指示信号を生成する制御信号生成部３１と、要求に応じて対向局から送信されてくるインターフェース情報を受信するインターフェース情報受信部３２と、インターフェース情報を画面表示する表示部３３と、オペレータが対向局へ要求・指示するときに操作する操作部３４とを有している。
【００２１】
一方、対向局のループバック制御装置４は、自局側から送信される制御信号（インターフェース情報要求信号およびループバック指示信号）を受信する制御信号受信部４１と、インターフェース情報を生成するインターフェース情報生成部４２と、対向局伝送装置２の受信信号をループバックするための接続処理を行うループバック接続部４３と、自局側からのループバック実行指示に応じてループバック接続部４３を制御する接続制御部４４とを有している。
【００２２】
ここで、インターフェース情報とは、伝送装置に実装されているインターフェースを示す情報であり、チャネル当りのビットレートおよびチャネル数の情報である。
【００２３】
図２はループバック実行時の動作を示すフローチャートである。
【００２４】
まず、自局のオペレータは、ループバック制御装置３の操作部３４を操作して制御信号生成部３１にインターフェース情報要求信号を生成させ、自局伝送装置１から対向局伝送装置２へ送信させる（ステップ１０１）。ここで、このインターフェース情報要求信号は、伝送信号のオーバーヘッド部分に予め設定したループバック制御用ビットにより示される信号である。
【００２５】
一方、対向局伝送装置２は、受信信号のオーバーヘッド部分をループバック制御装置４の制御信号受信部４１へ送出する。制御信号受信部４１はオーバーヘッド部分のループバック制御用ビットによりインターフェース情報要求を受けたならば（ステップ２０１）、インターフェース情報生成部４２にインターフェース情報を生成させる。
【００２６】
インターフェース情報生成部４２は、オーバーヘッド部分のループバック制御用ビットにインターフェース情報を設定して対向局伝送装置２を介し自局伝送装置１へ送信する（ステップ２０２）。
【００２７】
自局伝送装置１は受信信号のオーバーヘッド部分をループバック制御装置３のインターフェース情報受信部３２へ送出する。インターフェース情報受信部３２は、オーバーヘッド部分のループバック制御用ビットにより対向局のインターフェース情報を受信したならば（ステップ１０２）、自局のオペレータが理解できる情報に変換して表示部３３に画面表示させる（ステップ１０３）。
【００２８】
自局のオペレータは、表示部３３の画面上に表示される対向局のインターフェースを確認し、このインターフェースの中からループバックを実行させるインターフェースを選択し、そのインターフェースの任意のチャネルを設定する。そして、操作部３４を操作してループバック実行（制御ＯＮ）を指示するループバック指示信号を制御信号生成部３１に生成させる。ループバック指示信号はオーバーヘッド部分のループバック制御用ビットに設定されて自局伝送装置１から対向局伝送装置２へ送信させる（ステップ１０４）。
【００２９】
対向局のループバック制御装置４の制御信号受信部４１は、オーバーヘッド部分のループバック制御用ビットによりループバック指示信号（制御ＯＮ）を受信したとき（ステップ２０３）、インターフェース情報生成部４２に制御応答信号を送出させると共に、接続制御部４４に対しループバック制御を指示し、指示されたインターフェースのチャネルがループバックするようにループバック接続部４３を制御させる（ステップ２０４）。
【００３０】
なお、制御応答信号は、ループバック指示信号が対向局において受信されたことをオペレータが確認するための信号であり、自局のループバック制御装置３のインターフェース情報受信部３２により受信されて表示部３３の画面上に応答確認が表示される（ステップ１０５）。
【００３１】
その後、自局のオペレータがループバックを解除させる場合は、操作部３４を操作してループバック実行（制御ＯＦＦ）を指示するループバック指示信号を制御信号生成部３１に生成させ、オーバーヘッド部分のループバック制御用ビットに設定されて自局伝送装置１から対向局伝送装置２へ送信させる（ステップ１０６）。
【００３２】
対向局のループバック制御装置４の制御信号受信部４１は、オーバーヘッド部分のループバック制御用ビットによりループバック指示信号（制御ＯＦＦ）を受信したとき（ステップ２０５）、インターフェース情報生成部４２に制御応答信号を送出させると共に、接続制御部４４に対しループバック制御の解除（制御ＯＦＦ）を指示し、指示されたインターフェースのチャネルのループバックを解除するようにループバック接続部４３を制御させる（ステップ２０６）。
【００３３】
また、この制御応答信号により自局のループバック制御装置３の表示部３３の画面上に応答確認が表示される（ステップ１０７）。
【００３４】
図３はループバック制御用ビット構成の一例を示す図である。
【００３５】
ここでは、制御情報の種別を示す情報種別ビット部Ａと、インターフェースの種別を示すためのインターフェース種別ビット部Ｂと、ループバックの制御ＯＮ／ＯＦＦを示すループバック指示ビット部Ｃとで構成している。
【００３６】
自局から対向局へ送出する制御情報としては、インターフェース情報要求およびループバック実行指示であり、対向局から自局へ送出する制御情報としては、インターフェース情報および制御応答の合計４種類であるので、情報種別ビット部Ａとして少なくとも２ビット必要である。例えば、情報種別ビット部Ａが「００」＝インターフェース情報要求、「０１」＝インターフェース情報、「１０」＝ループバック実行指示情報、「１１」＝制御応答とする。
【００３７】
また、インターフェースは、チャネル当りのビットレートとチャネルとで識別できるので、例えば、ビットレート識別用に２ビット、チャネル識別用に５ビットの計７ビットで構成すれば、４種類のビットレートと３２のチャンネル数を示すことができる。ここで、ビットレートが２Ｍｂｐｓでチャネル数が２１のインターフェースであれば、ビットレート２Ｍｂｐｓを「００」としチャネル数を「１０１０１」として「００１０１０１」で示すことができる。
【００３８】
更に、ループバックの制御ＯＮ／ＯＦＦを示すためには１ビットでよいので、例えば、ループバックの制御ＯＮを「１」、ループバックの制御ＯＦＦを「０」とする。
【００３９】
このようにループバック制御用ビットを合計１０ビットで構成した場合、インターフェース情報要求は「０１００００００００」であり、２Ｍｂｐｓ，２１チャネルのインターフェース情報は「０１００１０１０１」であり、また、２Ｍｂｐｓ，第１チャネルに対するループバック実行指示（制御ＯＮ）は「１００００００００１」となる。
【００４０】
なお、この場合、対向局は、実装されたインターフェースの数に応じてインターフェース情報を複数回送信することになる。
【００４１】
このようにループバックを実施する際に、オーバーヘッド部分に予め設定したループバック制御用ビットにより、対向局に対してインターフェース情報要求信号を送出してインターフェース情報を取得することにより、対向局の伝送装置が種類の異なる複数のインターフェースを実装していても、自局のオペレータは対向局に実装されているインターフェースを事前に確認でき、ループバック対象のインターフェースのチャネルを指定してループバックを実行できる。
【００４２】
上述した説明では、同期デジタルハイアラーキ（ＳＤＨ）信号および北米ソネットハイアラーキ（ＳＯＮＥＴ）信号等のオーバーヘッド部分にループバック制御用ビットを設けてループバック制御を行うようにしているが、ループバック制御用の信号を設定し、このループバック制御用信号を伝送信号に多重化して伝送するようにしてもよい。
【００４３】
【発明の効果】
以上説明したように本発明によれば、対向局伝送装置が異なる種類の複数のインターフェースを実装している場合、自局のオペレータが対向局伝送装置に実装されているインターフェースの種類を事前に知らなくても、任意のインターフェースの任意のチャネルを指定してループバックを実行させることができる。
【図面の簡単な説明】
【図１】本発明の一実施形態を示すブロック図である。
【図２】ループバック実行時の動作を示すフローチャートである。
【図３】ループバック制御用ビット構成の一例を示す図である。
【符号の説明】
１　　自局伝送装置
２　　対向局伝送装置
３　　自局のループバック制御装置
４　　対向局のループバック制御装置
３１　　制御信号生成部
３２　　インターフェース情報受信部
３３　　表示部
３４　　操作部
４１　　制御信号受信部
４２　　インターフェース情報生成部
４３　　ループバック接続部
４４　　接続制御部
【図１】
2004120231.tif 000003
【図２】
2004120231.tif 000004
【図３】
2004120231.tif 000005